(57)【要約】【課題】昆虫類を捕獲することなく施設外に放出処理することのできる虫の放出装置を提供する。【解決手段】屋内に居る虫を屋外に放出するための装置であって、屋内外の境界部に設けられ、屋内から屋外に向かう気流を生じさせる羽根なし送風機１２からなる装置本体と、羽根なし送風機１２の気流通路１４の近傍に設けられ、屋内に居る虫を誘引するための光源１６とを備え、光源１６に誘引された虫を羽根なし送風機１２による気流で屋外に放出するようにする。【選択図】図１
2019076017.tif 000002
【特許請求の範囲】
【請求項１】
所定の区域内に居る虫を区域外に放出するための装置であって、
区域内外の境界部に設けられ、区域内から区域外に向かう気流を生じさせる羽根なし送風機からなる装置本体と、羽根なし送風機の気流通路の近傍に設けられ、区域内に居る虫を誘引するための光源とを備え、光源に誘引された虫を羽根なし送風機による気流で区域外に放出するものであることを特徴とする虫の放出装置。
【請求項２】
虫を捕獲するための捕獲手段を備えないことを特徴とする請求項１に記載の虫の放出装置。
【請求項３】
光源は、区域外から見えない位置に設けられることを特徴とする請求項１または２に記載の虫の放出装置。
【請求項４】
羽根なし送風機の気流通路の出口側に設けられ、区域外からの虫の侵入を防止するための侵入防止手段をさらに備えることを特徴とする請求項１〜３のいずれか一つに記載の虫の放出装置。
【発明の詳細な説明】
【技術分野】
【０００１】
本発明は、虫の放出装置に関するものであり、例えば、食品工場や医薬品工場などのように、製品に昆虫類が混入することを避ける必要のある施設で用いられる虫の放出装置に関するものである。
【背景技術】
【０００２】
従来、食品工場や医薬品工場などのように、製品に昆虫類が混入することを避ける必要のある施設で使用される捕虫装置として、例えば特許文献１に示すような吸引式捕虫器が知られている。
【０００３】
この吸引式捕虫器は、シロッコファンを内蔵した本体ケースと、本体ケース上に立設されて本体ケース内と連通状態にされる吸引筒と、本体ケースの裏面に突設される吹出口に嵌め付けられる捕獲袋とからなる。吸引筒の正面中央部には上下に伸びる凹陥部が形成されており、この凹陥部には誘引蛍光灯が縦向きに取り付けられる。また、凹陥部の奥面に誘引蛍光灯の両側面に沿うようにして多数の吸引スリットが縦方向に適宜間隔おきに配設される。
【０００４】
吸引式捕虫器のスイッチを入れてシロッコファンを作動させるとともに、誘引蛍光灯を点灯させると、昆虫類が誘引蛍光灯の光に引き寄せられて凹陥部内に到来する。この昆虫類は、シロッコファンの吸引作用により吸引スリットから吸引筒内に強制吸引され、本体ケースを経て捕獲袋内に捕獲される。
【０００５】
一方、空気流を生じさせる従来の送風機として、例えば特許文献２に示すような羽根なし送風機が知られている。この羽根なし送風機は、台座上に取り付けられた環状のノズルを備えた環状の組立体からなり、外見上からは羽根が見当たらないので羽根なし送風機と呼ばれている。台座の内部には、空気流を生成するためのインペラとこれを回転させるモータが収容されており、ここで生成された空気流が台座の内部ダクトから組立体の環状の内部通路を通ってノズルから放出される。これにより、環状の組立体に囲まれた開口部に送風用の空気流を形成するようになっている。
【先行技術文献】
【特許文献】
【０００６】
【特許文献１】特開２０１６−２０２１３７号公報
【特許文献２】特開２０１０−０７７９６９号公報
【発明の概要】
【発明が解決しようとする課題】
【０００７】
ところで、上記の従来の特許文献１の吸引式捕虫器では、捕獲袋に捕獲した昆虫類の死体を頻繁に除去したり、捕獲袋の目詰まりを解消するための清掃や、交換をする必要があるため手間が掛かるといった問題がある。また、捕獲した昆虫類は通常、殺処分されるため、生態系に影響を及ぼすおそれがある。
【０００８】
このため、施設内の昆虫類を捕獲することなく施設外へ放出処理することのできる装置が求められていた。
【０００９】
本発明は、上記に鑑みてなされたものであって、昆虫類を捕獲することなく施設外に放出処理することのできる虫の放出装置を提供することを目的とする。
【課題を解決するための手段】
【００１０】
上記した課題を解決し、目的を達成するために、本発明に係る虫の放出装置は、所定の区域内に居る虫を区域外に放出するための装置であって、区域内外の境界部に設けられ、区域内から区域外に向かう気流を生じさせる羽根なし送風機からなる装置本体と、羽根なし送風機の気流通路の近傍に設けられ、区域内に居る虫を誘引するための光源とを備え、光源に誘引された虫を羽根なし送風機による気流で区域外に放出するものであることを特徴とする。
【００１１】
また、本発明に係る他の虫の放出装置は、上述した発明において、虫を捕獲するための捕獲手段を備えないことを特徴とする。
【００１２】
また、本発明に係る他の虫の放出装置は、上述した発明において、光源は、区域外から見えない位置に設けられることを特徴とする。
【００１３】
また、本発明に係る他の虫の放出装置は、上述した発明において、羽根なし送風機の気流通路の出口側に設けられ、区域外からの虫の侵入を防止するための侵入防止手段をさらに備えることを特徴とする。
【発明の効果】
【００１４】
本発明に係る虫の放出装置によれば、所定の区域内に居る虫を区域外に放出するための装置であって、区域内外の境界部に設けられ、区域内から区域外に向かう気流を生じさせる羽根なし送風機からなる装置本体と、羽根なし送風機の気流通路の近傍に設けられ、区域内に居る虫を誘引するための光源とを備え、光源に誘引された虫を羽根なし送風機による気流で区域外に放出するものであるので、虫を捕獲することなく区域外に放出することができるという効果を奏する。
【００１５】
また、本発明に係る他の虫の放出装置によれば、虫を捕獲するための捕獲手段を備えないので、到来した虫を傷つけることも殺すこともなく生態系に影響を及ぼさない。また、虫の死体の処理や清掃の手間をなくすことができるという効果を奏する。
【００１６】
また、本発明に係る他の虫の放出装置によれば、光源は、区域外から見えない位置に設けられるので、区域内に居る虫のみを光源の近傍に誘引することができるという効果を奏する。
【００１７】
また、本発明に係る他の虫の放出装置によれば、羽根なし送風機の気流通路の出口側に設けられ、区域外からの虫の侵入を防止するための侵入防止手段をさらに備えるので、区域外の虫が気流通路を通じて屋内に侵入する事態を未然に防止することができるという効果を奏する。
【図面の簡単な説明】
【００１８】
【図１】図１は、本発明に係る虫の放出装置の実施の形態を示す屋内側から見た斜視図である。
【図２】図２は、本発明に係る虫の放出装置の実施の形態を示す横断面図（停止時）である。
【図３】図３は、本発明に係る虫の放出装置の実施の形態を示す横断面図（稼働時）である。
【発明を実施するための形態】
【００１９】
以下に、本発明に係る虫の放出装置の実施の形態を図面に基づいて詳細に説明する。なお、この実施の形態によりこの発明が限定されるものではない。
【００２０】
図１および図２に示すように、本発明に係る虫の放出装置１０は、屋内（所定の区域内）に居る虫を屋外（区域外）に放出するための装置であって、羽根なし送風機１２（装置本体）と、光源１６とを備えており、虫を捕獲するための捕獲袋などの捕獲手段を備えない。この装置１０は、例えば食品工場や医薬品工場などのように、製品に昆虫類が混入することを避ける必要のある施設の屋内外の境界部に設けられる。
【００２１】
羽根なし送風機１２は、屋内から屋外に向かう気流を生じさせる羽根なしの送風機であり、有底円筒状の台座部１８と、この上に取り付けられた縦長環状のリング部２０とからなる。
【００２２】
台座部１８の内部空間２８には、空気流を生成するためのインペラ２４とこれを回転させるモータ２６が同軸に収容されている。台座部１８の外周面には、内部空間２８に空気を取り入れるための多数の小孔２２が設けられている。台座部１８の内部空間２８は、リング部２０の内部通路３０と連通している。この構成においてインペラ２４を回転させると、小孔２２から吸い込んだ空気をリング部２０の内部通路３０に送り出せるようになっている。
【００２３】
リング部２０は、水平方向を環の軸心とする縦長環状の略中空構造であり、内部には縦長環状の内部通路３０が形成されている。リング部２０の屋内側の周縁部分には、ノズル３２が縦長環状に設けられている。内部通路３０に送り込まれた空気をノズル３２から屋外側に向けて吹き出すと、リング部２０に囲まれた縦長の開口からなる気流通路１４に、屋内側から屋外側に向かう空気流が作り出されるようになっている。気流通路１４は、屋内側から屋外側に向かって次第に拡径するラッパ形状に形成されている。なお、このように構成される羽根なし送風機１２としては、市販されている周知の羽根なし送風機を適用することが可能である。
【００２４】
光源１６は、屋内に居る虫を誘引するためのものであり、羽根なし送風機１２の気流通路１４の近傍に設けられる。図の例では、リング部２０の屋外側の中央下部から上方に向けて長板状の固定部材３４を立設し、この固定部材３４の屋内側の面に、点状の光源１６を縦方向に間隔をあけて複数設置した場合を示している。ここで、光源１６を屋内側に向けて設置し、屋外側からは光源１６が見えないような構造とすることが望ましい。こうすることで、屋内に居る虫のみを光源１６の近傍に誘引することが可能となる。光源１６としては、例えば、誘虫効果の高い蛍光灯や、紫外線（ＵＶ）カットをしていないランプ、ＵＶを発するＬＥＤなどを用いることが好ましい。
【００２５】
この虫の放出装置１０は、図２および図３に示すように、侵入防止手段としての左右２枚のフラップ３６をさらに備えている。このフラップ３６は、蝶番を介して固定部材３４の屋外側の面に取り付けられており、装置の運転状況に応じてリング部２０の気流通路１４（縦長の開口）を開閉可能となっている。
【００２６】
上記構成の動作および作用について説明する。
まず、稼働時について説明する。図３に示すように、フラップ３６を開いて気流通路１４を開放状態にしておく。
【００２７】
図示しないスイッチをオンにしてモータ２６を駆動するとインペラ２４が回転し、台座部１８の外周面の小孔２２から吸気して内部空間２８に向かう空気流が生じる。この空気流は内部空間２８、リング部２０の内部通路３０を経てノズル３２から屋外側に吹き出される。これにより、気流通路１４に屋内側から屋外側に向かう空気流が作り出される。
【００２８】
一方、図示しないスイッチをオンにして光源１６を点灯させると、屋内側の虫がこの光源１６に誘引されて気流通路１４近くに到来する。到来した虫は気流通路１４の空気流の風圧により屋外側に放出される。その際、虫の放出経路にファンなどの羽根はないので、ファンなどの羽根にぶつかって虫が損傷することはない。このようにすることで、昆虫類を捕獲することなく施設外に放出することができる。
【００２９】
次に、運転停止時について説明する。図２に示すように、光源１６をオフにして消灯するとともに、モータ２６をオフにして送風を停止する。さらに、フラップ３６を閉じて気流通路１４を閉塞状態にする。このようにすれば、屋外の虫が気流通路１４を通じて屋内に侵入する事態を未然に防止することができる。
【００３０】
このように、本実施の形態に係る虫の放出装置１０は、虫を捕獲するのではなく、羽根なし送風機１２の風で虫を屋外に放出する。虫の放出経路にファンなどの羽根や捕獲袋がないため、到来した虫を傷つけることも殺すこともない。このため、虫の死体の処理や清掃も必要なく、生態系にも影響を及ぼさない。
【００３１】
上記の実施の形態において、虫の放出装置１０を施設出入口にあるシャッターの両脇などに設置したり、虫の放出装置１０をシャッターと一体化してもよい。この場合、フラップ３６（侵入防止手段）の開閉動作を、周囲のシャッターの開閉動作に合わせて動作してもよい。
【００３２】
また、上記の実施の形態においては、フラップ３６（侵入防止手段）を備える場合を例にとり説明したが、本発明はこれに限るものではなく、フラップ３６（侵入防止手段）を備えない構成としても構わない。この場合、虫の放出装置１０を使用しない時は屋内に入れ、屋内外を仕切るシャッターなどを閉鎖して屋外から隔離してもよい。
【００３３】
また、上記の実施の形態において、光源１６に代えて、または光源１６に加えて、指向性の誘虫性の音波を発信する音波発信源を気流通路１４の近傍に設け、虫を誘引する構成を採用してもよい。
【００３４】
また、上記の実施の形態においては、リング部２０の正面視の形状が縦長環状である場合を例にとり説明したが、本発明はこれに限るものではない。リング部２０の正面視の形状はいかなる形状でもよく、例えば単なる円形状や横長環状であってもよい。
【００３５】
また、上記の実施の形態において、羽根なし送風機１２は、リング部２０の首振り機能や風量・風向調節機能などを備えてもよい。このようにすれば、虫の放出能力を適宜調整することができる。
【００３６】
以上説明したように、本発明に係る虫の放出装置によれば、所定の区域内に居る虫を区域外に放出するための装置であって、区域内外の境界部に設けられ、区域内から区域外に向かう気流を生じさせる羽根なし送風機からなる装置本体と、羽根なし送風機の気流通路の近傍に設けられ、区域内に居る虫を誘引するための光源とを備え、光源に誘引された虫を羽根なし送風機による気流で区域外に放出するものであるので、虫を捕獲することなく区域外に放出することができる。
【００３７】
また、本発明に係る他の虫の放出装置によれば、虫を捕獲するための捕獲手段を備えないので、到来した虫を傷つけることも殺すこともなく生態系に影響を及ぼさない。また、虫の死体の処理や清掃の手間をなくすことができる。
【００３８】
また、本発明に係る他の虫の放出装置によれば、光源は、区域外から見えない位置に設けられるので、区域内に居る虫のみを光源の近傍に誘引することができる。
【００３９】
また、本発明に係る他の虫の放出装置によれば、羽根なし送風機の気流通路の出口側に設けられ、区域外からの虫の侵入を防止するための侵入防止手段をさらに備えるので、区域外の虫が気流通路を通じて屋内に侵入する事態を未然に防止することができる。
【産業上の利用可能性】
【００４０】
以上のように、本発明に係る虫の放出装置は、食品工場や医薬品工場などのように、製品に昆虫類が混入することを避ける必要のある施設で用いるのに有用であり、特に、施設内の昆虫類を捕獲することなく施設外に放出処理するのに適している。
【符号の説明】
【００４１】
１０  虫の放出装置
１２  羽根なし送風機（装置本体）
１４  気流通路
１６  光源
１８  台座部
２０  リング部
２２  小孔
２４  インペラ
２６  モータ
２８  内部空間
３０  内部通路
３２  ノズル
３４  固定部材
３６  フラップ（侵入防止手段）
【図１】
2019076017.tif 000003
【図２】
2019076017.tif 000004
【図３】
2019076017.tif 000005